(57)【要約】      （修正有）【課題】ティーバッティング練習者がネット内に打ち込んだボールが、自動的にトスをする人の足元に集まるような構造とすることにより、ボールを回収する労力と時間を無くし、より充実したバッティング練習に励めるようにする。【解決手段】前面フレームと後部フレーム及びサイドフレームからなるフレーム部にぶら下がるように取り付けられた、打球威力を吸収するのに適度な張力の余裕をもったネット部とフレーム下部に取り付け固定されネット部とも部分的に連結固定された傾斜角度と弾性のある集球スロープ部を有し、サイドフレームを外して、前面フレームと後部フレームを合わせるように畳むと平らな状態になる。【選択図】図４
0003133575.tif 000002
【実用新案登録請求の範囲】
【請求項１】
複数のパイプを組み合わせて四角略枠状に組み立てられた前面フレームと複数のパイプを組み合わせて前面フレームを、前面フレームの両サイドパイプ上部に設けられたネジ穴とネジを支点として支える目的でコの字型略枠状に組み立てられた前面フレームと同じ横幅を持つ後部フレーム、前面フレームと後部フレームとを両サイドパイプ低部でネジにより接続固定し、前面フレームと後部フレームとの開脚間隔を一定に保ち、集球スロープに適度なテンションを与える役割の４本のサイドフレームと、四角形の中心受球部の両サイドに三角形の補助受球部を縫い合わせ略台形形状を構成し、その略台形形状の上辺と両サイド斜辺に複数のシート状の面ファスナー体を取り付け、その上辺を前面フレーム上部パイプに両サイド斜辺を前面フレームサイドパイプに巻き付け固定し、下辺を打者側の１辺を除いて複数のシート状の面ファスナー体を取り付けられている集球スロープ部の内面３辺に巻き付け固定することにより形成された打球打ち込み空間とその打球の威力を吸収してボールを真下に落下させることのできるような、張り強度に適度な余裕のあるネット部と、前面フレームのサイドボール下部および後部フレームのサイドボール下部の、４本のサイドフレームのうちの上側２本の取り付け位置の内側に取り付けられたフック部に、４隅のコーナー部に縫い付けられた輪状のゴムベルトを引っ掛けて固定し、上側両サイドフレームを取り付けることにより、前面フレームと後部フレームとの開脚間隔を広げて適度な張りテンションを得ることができ、また、スロープ開口部の中心部の一方を下側サイドフレームに反対側の開口部の中心部を上側サイドフレームに固定することによりスロープ部に傾斜をつけ、落下してきたボールのバウンドをこの適度な張りテンションと材質独自の弾性により吸収し、スロープの傾斜を転がり落として、トスをする人の足元に集まるようにする集球スロープ部と、集球スロープ部を転がり落ちるボールの勢いや角度の違いを受け止め調整し、ボールを一箇所に集めるための目的で、前面フレームと後部フレームのサイドパイプ部最下部にその長帯状の両端を取り付け固定し、スロープ開口部の正面に、横に伸びる長帯状の壁の状態で設置される長帯状集球壁とから構成されることを特徴とする野球・ソフトボール用のティーバッティング練習用受球ネット装置。
【請求項２】
前記野球・ソフトボール用のティーバッティング練習用受球ネットの、前記集球スロープ部に関し、左右バッターに対するトスをする人の位置の変化に対応するため、ネット装置を正面に置いてみた場合、右側のスロープ開口部の中心を下部サイドフレームに、左側のスロープ開口部の中心を上部サイドフレームに固定した場合のスロープ部の傾斜は、右バッターに対するトスをする人の位置に対するものであり、その逆のパターンが、左バッターに対するトスをする人の位置に対するものであるというように、左右バッターに対応して容易にそのスロープ傾斜を変更することが可能な集球スロープ部を特徴とする請求項１に記載の野球・ソフトボール用のティーバッティング練習用受球ネット装置。
【請求項３】
前記野球・ソフトボール用のティーバッティング練習用受球ネット装置の収納に関し、前記サイドフレームを固定するネジを手で外すことにより容易に取り外し、開脚した状態にあった前面フレームと後部フレームを閉じるようにして合わせることにより、ネット装置を平面状態に保つことができ、強風時の一時退避や用具倉庫への保管を簡便化させたことを特徴とする請求項１又は請求項２に記載の野球・ソフトボール用のティーバッティング練習用受球ネット装置。
【考案の詳細な説明】
【技術分野】
【０００１】  本考案は，野球・ソフトボール用のティーバッティング練習用受球ネットの構造に関するものである。
【背景技術】
【０００２】  野球には、ティーバッティング練習という練習方法がある。この練習方法は、コーチや同僚等からトスされたボールを打つことにより、バットスイングのタイミングやミート時の感覚等を知覚練習するもので、コーチなどバッターの目前でトスを投げる人からバッティングフォーム等のチェック・指導を受けることが可能な有意義な練習方法である。通常この練習方法は、バッターの正面にティーバッティング練習用受球ネットを設置し、その傍らに位置したトスを投げる人が、バケツ等のボール入れから取り出したボールをバッターに向けてトスし、バッターがティーバッティング練習用受球ネットに向かってボールを打ち込むようにするものである。
従来のティーバッティング用ネット装置は鉄製のフレーム部とそのフレーム部に外縁部を固定されたネットとから構成されている。ネットの形状はさまざまであり、ネット体のたわみの余裕により、ボールの威力を吸収し、下へ落とすタイプのものやネット体の中心部に円形の開口部をつけ、その後ろにポケット状の収球部をつけたものなどが一般的である。【０００３】  従来の野球・ソフトボール用のティーバッティング練習用受球ネットは、ネット内に打ち込んだボールが、ネット内の底部または設定された収球部に溜まり、ある一定の数のボールを打ち終わると、トスをした人、もしくはティーバッティング練習をした人が、その練習を打ち切り、ボールを回収する作業をしなければ、また次の練習を始めることができなかった。限られた時間内に多く練習量をこなさなければならない、野球・ソフトボールの練習環境において、このボール拾いに費やされる時間と労力は、膨大な無駄であり、寸分の時間を惜しんで練習に励みたい多くの球児にとって悩みの種となっていた。【０００４】  もうひとつの課題は、従来のティーバッティング練習用受球ネットでは、ある一定数量のボールを連続して打ち込む練習をするためには、一定数量のボールが必要であり（通常３０球から１００球程度）、決して安くはないこのボールの経費負担が、多くの球児にとって悩みの種となっていた。
例えば下記の特許文献１や特許文献２がそれらの問題を抱えていると考えられる。
【特許文献１】特開２００２−２３３６０２公報
【特許文献２】特開２００４−２０２１６１公報
【０００５】  また、実用新案第３１２２１３７号に開示されているように、ネットに打ち込んだボールをトスマシーンと併用させて自動的に再トスをする方法なども考案されているが、高価なトスマシーンが無いと機能しない方法であることが課題である。  それにも増して、この一人で行うティーバッティング練習で問題なのは、トスを投げる人間が、目の前でバッターのスイングを見てそのフォームなどをチェック・矯正するという、ティーバッティング本来の最大の効用が期待できないことである。
【実用新案文献１】
実用新案第３１２２１３７号
【発明が解決しようとする課題】
【０００６】  本考案は，上記のような問題点の解決を図るために，野球・ソフトボール用のティーバッティング練習用受球ネットに関して、ティーバッティング練習者がネット内に打ち込んだボールが、自動的にトスをする人の足元に集まるような構造とすることにより、ボールを回収する労力と時間を無くし、より充実したバッティング練習に励めるようにしようとしたものである。  また、ごく少数の（３〜５個）のボールで、無制限の連続バッティング練習を可能にすることにより、ボール購買の経費負担及び在庫負担を大幅に削減しようとするものである。
【課題を解決するための手段】
【０００７】  本考案による課題の解決手段を以下に要約する。
課題を解決するために考案されたティーバッティング練習用受球ネットは、フレーム部（図１）とネット部（図２）及び集球スロープ部（図３）から成り、フレーム部は複数のパイプを接続した前面フレーム（図１−Ａ）、後部フレーム（図１−Ｂ）、及びサイドフレーム（図１−Ｃ）から構成されている。  このフレーム部の詳細は（図１）に記されている通りである。  ネット部は（図２）に記されたような形状をしており、この略台形形状の上辺（図２−Ｄ）が前面フレームの上部パイプに、シート状の面ファスナー体（図２−Ｅ）によって巻き付け固定され、略台形形状の両サイドの斜辺（図２−Ｆ）が前面フレームのサイドパイプにシート状の面ファスナー体によって巻き付け固定され、また略台形形状の下辺（図２−Ｇ）をバッター側の１辺を除いて複数のシート状の面ファスナー体を取り付けられている集球スロープ部の内面３辺（図３−Ｈ）に巻き付け固定されることによって、ネット装置内部に打球打ち込み空間とその打球の威力を吸収してボールを真下に落下させることのできるような、張り強度に適度な余裕のあるネット本体とを構成したものである。  集球スロープ部は、（図３）に記されたような形状をしており、弾力性のある素材で作られている。前面フレームと後部フレームの下部にそれぞれ２箇所づつ取り付けられているフック部（図１−Ｉ）に集球スロープ部の４隅に縫い付けられた輪状のゴムベルト（図３−Ｊ）を引っ掛けて固定し、上側両サイドフレームを取り付けることにより、前面フレームと後部フレームとの開脚間隔を広げて適度な張りテンションを得ることができる。
【０００８】  常識的なことだが、野球には右打ちと左打ちのバッターがおり、バッティング時の立つ位置は正反対となる。それに合わせて、トスをする人の位置もネットの右側、左側と変わらなければならない。そしてそれに合わせて集球スロープの傾斜も変更せねばならないわけである。（図１）に記されているように、前面フレームと後部フレームの間には、両サイドに２本づつのサイドフレーム（図１−Ｃ）が取り付けられており、集球スロープ開口部の一方の中心部を２本のサイドフレームの下側のほうに、もう一方の中心部を上側の方に取り付けることにより集球スロープ部に傾斜をかけ、ボールをトスする人の方へ転がすような構造となる（図６−Ｋ）。
また、集球スロープ両開口部の左右の適切な位置にも紐など（図３−Ｌ）、前面、後部フレームに巻く事により長さの調整が容易につけられる取り付け装置をつけることにより（図６−Ｌ）、集球スロープ全体をフラットに保てるような適度な張度を持たせることが重要である。
【０００９】  このようにしてボールは集球スロープを転がり落ち、トスをする人の足元に集まるようになるわけであるが、打球の威力や打ち込む角度により集球スロープを転がり落ちるボールの勢い・角度等にも違いが生まれ、全てのボールがトスをする人の足元に正確に転がるわけにはいかず、トスをする人が注意してボールを拾い集めなければならないため、トスやバッターの観察に集中できないという問題があった。そこで、（図４−Ｍ）に記したような集球壁を、その両端を前面フレームと後部フレームの下部に固定して、集球スロープ開口部の正面に設置することにより、転がり落ちるボールを、トスをする人の足元に正確に集まるようにした。
【００１０】  また、従来のバッティングネットの多くは、固定式というその形態上、風邪に弱いという欠点があった。  台風などの予想されるものに対しては、それなりの防止策も取れるが、練習中に急に強くなりだす突風などにはうまく対応できず、場合によっては飛ばされて人に当たり怪我をするというような事故も発生している。それに対し、この新考案のティーバッティング練習用受球ネットは、後部フレームと両サイドのサイドフレームとを接合しているネジ（図１−Ｎ）を手ではずすだけで、平らに畳む事ができ、強風時には瞬時に平らにして地面に伏せることが可能である。また、収納時にもこの状態で、用具置き場の省スペースに立てかけて収納することができる。もちろん分解すれば乗用車のトランクにもゆったり収納することができ、どこにでも持ち運ぶことができる。
【考案の効果】
【００１１】  本考案によって作成されたティーバッティング練習用受球ネットを使用してティーバッティング練習を行う様子を下記に述べ、その効果を描写する。
トスをする人によってトスされたボールを、ティーバッティング練習をする人がティーバッティング練習用受球用ネット内に打ち込む。打ち込まれたボールは、受給ネットの特殊形状とサイズ的余裕によって作り出された空間とネットの自重でその打撃方向の威力を急減され、真下に落下することとなる。ボールが落下した底部には、弾力性のある素材によって作られた特殊形状の集球スロープが設置されており、落下の威力を上手く弾力性素材によって吸収されて軟着地したボールは、そのスロープの傾斜を転がって、スロープ開口部から、ネット本体の横に位置しているトスをする人の方に転がることとなる。転がって来たボールは、スロープ開口部の向かいに取り付けられた集球壁により、トスをする人の手元に集められる。これによりトスをする人は、転がり来るボールに気をとられることなく、よりトスやバッターの観察に集中することができる。
【００１２】  野球のバッターには、右打ちと左打ちの人がおり、そのバッターによってトスをする人も、受球ネットの左右に位置しなければならないが、集球スロープの傾斜も、その打者に合わせて、容易に変更できる構造となっている。
トスをする人もティーバッティング練習をする人も、従来しなければならなかったボール拾いに煩わされることがなくなり、思い切り、好きなだけバッティング練習に打ち込むことができる。また、従来準備しなければならなかった多数のボールも、ほんの３〜５個ですみ、その経費を他の用途に割り当てることができる。時間と経費の両方を節約できるわけである。
【００１３】  このティーバッティング練習用受球ネットは、後部フレーム下部のネジを４箇所手ではずす事により、容易に平らに畳むことができ、用具置き場の限られたスペースに収納することができる。また、ティーバッティングの練習を途中で中断し別の練習をする場合や、一時ネットを放置し、その場を離れるような場合でも、平らに折り畳み地面に伏せておけば、急に起こる突風などに飛ばされることなどを心配しないで済む。
フレームを全て分解し完全収納すれば、乗用車のトランクにも楽に収納でき、どこへでも持ち運ぶことができる。
本考案により、ティーバッティングの練習環境は大きく改善されることとなった。
【図面の簡単な説明】
【００１４】
【図１】図１はフレームの全体構成を説明する分解図。
【図２】図２は受球ネットの全体構成を説明する斜視図。
【図３】図３は集球スロープの全体構成を説明する斜視図。
【図４】図４は本考案ティーバッティングネットの使用状態の説明図。
【図５】図５は同ティーバッティングネットの正面図。
【図６】図６は同ティーバッティングネットの側面図。
【図１】
0003133575.tif 000003
【図２】
0003133575.tif 000004
【図３】
0003133575.tif 000005
【図４】
0003133575.tif 000006
【図５】
0003133575.tif 000007
【図６】
0003133575.tif 000008